(57)【要約】【課題】利用者の好みに沿った緊急通知制御を行うことが可能となる緊急通知制御装置を提供する。【解決手段】利用者の好みによる設定を入力する入力部と、前記入力部により入力された設定を記憶する記憶部と、緊急放送が放送されたときに、前記記憶部に記憶された設定に基づいて緊急通知を行うか否かを切替える緊急通知制御部を備える緊急通知制御装置としている。【選択図】図１
2015039115.tif 000002
【特許請求の範囲】
【請求項１】
利用者の好みによる設定を入力する入力部と、前記入力部により入力された設定を記憶する記憶部と、緊急放送が放送されたときに、前記記憶部に記憶された設定に基づいて緊急通知を行うか否かを切替える緊急通知制御部を備えることを特徴とする緊急通知制御装置。
【請求項２】
前記緊急通知制御部は、前記緊急放送が放送されたときに放送に含まれる地域情報と、利用者の好みによる地域設定を比較することにより、緊急通知を行うか否かを切替えることを特徴とする請求項１に記載の緊急通知制御装置。
【請求項３】
前記緊急通知制御部は、前記緊急放送が放送されたときに放送に含まれる緊急事態種別情報と、利用者の好みによる種別設定を比較することにより、緊急通知を行うか否かを切替えることを特徴とする請求項１または請求項２に記載の緊急通知制御装置。
【請求項４】
前記緊急通知制御部は、前記緊急放送が連続して放送された回数と、利用者の好みによる回数設定を比較することにより、緊急通知を行うか否かを切替えることを特徴とする請求項１〜請求項３のいずれか１項に記載の緊急通知制御装置。
【請求項５】
前記緊急通知制御部は、放送受信機能を有しない外部装置に緊急通知コマンドを送信し、前記外部装置に緊急通知を行わせることを特徴とする請求項１〜請求項４のいずれか１項に記載の緊急通知制御装置。
【請求項６】
前記緊急通知制御部は、放送受信機能を有しない外部装置に映像データを送信し、前記外部装置に前記映像データの再生による緊急通知を行わせることを特徴とする請求項１〜請求項４のいずれか１項に記載の緊急通知制御装置。
【請求項７】
前記外部装置は、当該緊急通知制御装置とホームネットワークにより接続されたＤＭＰ（デジタルメディアプレーヤ）であることを特徴とする請求項５または請求項６に記載の緊急通知制御装置。
【請求項８】
コンテンツの再生機能を有した緊急通知制御装置であって、前記緊急通知制御部は、コンテンツの再生動作中であるとき、当該再生動作を停止させて緊急通知を行うことを特徴とする請求項１〜請求項７のいずれか１項に記載の緊急通知制御装置。
【請求項９】
前記再生動作の停止後、前記緊急放送の放送が終了すると、前記再生動作が再開されることを特徴とする請求項８に記載の緊急通知制御装置。
【請求項１０】
利用者の好みによる設定を入力する入力部と、前記入力部により入力された設定を記憶する記憶部と、緊急放送が放送されたことを検出する検出部と、前記検出部による検出があったときに、前記記憶部に記憶された設定に基づいて緊急通知を行うか否かを切替える緊急通知制御部を備える緊急通知制御装置と、
前記緊急通知制御部の制御により緊急通知を行う通知装置と、を備えることを特徴とする緊急通知システム。
【請求項１１】
前記通知装置は、前記緊急通知制御部によって送信された緊急通知コマンドを受信すると、ＯＳＤ（オンスクリーンディスプレイ）表示または所定のコンテンツ再生によって緊急通知を行うことを特徴とする請求項１０に記載の緊急通知システム。
【請求項１２】
前記通知装置は、前記緊急通知コマンドを受信したにも関わらず緊急通知を行わない設定が操作によって可能であることを特徴とする請求項１１に記載の緊急通知システム。
【請求項１３】
前記通知装置は、前記緊急通知制御部によって送信された映像データを再生して緊急通知を行うことを特徴とする請求項１０に記載の緊急通知システム。
【請求項１４】
前記通知装置は、コンテンツの再生機能を有し、再生中のときは再生を停止させて緊急通知を行うことを特徴とする請求項１０〜請求項１３のいずれか１項に記載の緊急通知システム。
【請求項１５】
前記緊急放送の終了を前記検出部が検出すると、コマンドを前記通知装置に送信するコマンド送信部を前記緊急通知制御装置は備えており、前記通知装置は、前記コマンドを受信すると停止させた再生を再開させることを特徴とする請求項１４に記載の緊急通知システム。
【発明の詳細な説明】
【技術分野】
【０００１】
本発明は、緊急通知制御装置に関する。
【背景技術】
【０００２】
従来、地震、津波等の発生により緊急警報放送が放送されたときに、緊急事態の通知を制御する緊急通知制御装置が知られている。
【０００３】
例えば、特許文献１には、次のような緊急通知制御装置としてのテレビ装置が開示されている。このテレビ装置では、ＥＷＳ（Emergency Warning System）信号が有ることを検出した場合、制御回路を起動し、警報対象地域を抽出する。そして、警報対象地域にテレビ装置の設置地域が含まれるかを判定し、含まれる場合は緊急警報を出力し、含まれない場合は緊急警報を出力しない制御が行われる。
【先行技術文献】
【特許文献】
【０００４】
【特許文献１】特開２００９−２２５０８８号公報
【発明の概要】
【発明が解決しようとする課題】
【０００５】
しかしながら、上記従来のテレビ装置では、設置地域以外で災害が発生した場合、警報対象地域に設置地域は含まれないので、緊急警報は出力されない。従って、テレビ装置のユーザの知り合いが住むなどの設置地域以外の地域で災害が発生したことをユーザが知りたい場合に対応することができない。
【０００６】
そこで、本発明は、利用者の好みに沿った緊急通知制御を行うことが可能となる緊急通知制御装置を提供することを目的とする。
【課題を解決するための手段】
【０００７】
上記目的を達成するために本発明の一態様に係る緊急通知制御装置は、利用者の好みによる設定を入力する入力部と、前記入力部により入力された設定を記憶する記憶部と、緊急放送が放送されたときに、前記記憶部に記憶された設定に基づいて緊急通知を行うか否かを切替える緊急通知制御部を備える構成としている。
【０００８】
このような構成によれば、緊急放送が放送されたときに、利用者の好みに沿った緊急通知制御を行うことが可能となる。
【０００９】
また、前記緊急通知制御部は、前記緊急放送が放送されたときに放送に含まれる地域情報と、利用者の好みによる地域設定を比較することにより、緊急通知を行うか否かを切替えることとしてもよい。
【００１０】
このような構成によれば、緊急事態が発生した地域が利用者の好みの設定による地域である場合に、緊急通知を行うか、または行わないよう制御できる。
【００１１】
また、前記緊急通知制御部は、前記緊急放送が放送されたときに放送に含まれる緊急事態種別情報と、利用者の好みによる種別設定を比較することにより、緊急通知を行うか否かを切替えることとしてもよい。
【００１２】
このような構成によれば、発生した緊急事態の種別が利用者の好みの設定による種別である場合に、緊急通知を行うか、または行わないかを制御できる。
【００１３】
また、前記緊急通知制御部は、前記緊急放送が連続して放送された回数と、利用者の好みによる回数設定を比較することにより、緊急通知を行うか否かを切替えることとしてもよい。
【００１４】
このような構成によれば、緊急放送が利用者の好みの設定による回数を超えて放送された場合に、緊急通知を行わないよう制御でき、利用者の煩わしさを抑えることができる。
【００１５】
また、前記緊急通知制御部は、放送受信機能を有しない外部装置に緊急通知コマンドを送信し、前記外部装置に緊急通知を行わせることとしてもよい。
【００１６】
このような構成によれば、放送受信機能を有しない外部装置であっても、緊急放送が放送されたときに緊急通知を行うことができ、利用者は緊急事態の発生を確認できる。
【００１７】
また、前記緊急通知制御部は、放送受信機能を有しない外部装置に映像データを送信し、前記外部装置に前記映像データの再生による緊急通知を行わせることとしてもよい。
【００１８】
このような構成によれば、放送受信機能を有しない外部装置であっても、緊急放送が放送されたときに緊急通知を行うことができ、利用者は緊急事態の発生を確認できる。
【００１９】
また、前記外部装置は、当該緊急通知制御装置とホームネットワークにより接続されたＤＭＰ（デジタルメディアプレーヤ）であることとしてもよい。
【００２０】
また、上記構成において、コンテンツの再生機能を有した緊急通知制御装置であって、前記緊急通知制御部は、コンテンツの再生動作中であるとき、当該再生動作を停止させて緊急通知を行うこととしてもよい。
【００２１】
このような構成によれば、緊急放送が放送されたときに再生動作が停止されるので、利用者は緊急通知に気づきやすくなる。
【００２２】
また、前記再生動作の停止後、前記緊急放送の放送が終了すると、前記再生動作が再開されることとしてもよい。
【００２３】
このような構成によれば、緊急放送が終了すると自動的に再生動作が再開されるので、利用者にとって利便性が高い。
【００２４】
また、本発明の一態様に係る緊急通知システムは、利用者の好みによる設定を入力する入力部と、前記入力部により入力された設定を記憶する記憶部と、緊急放送が放送されたことを検出する検出部と、前記検出部による検出があったときに、前記記憶部に記憶された設定に基づいて緊急通知を行うか否かを切替える緊急通知制御部を備える緊急通知制御装置と、
前記緊急通知制御部の制御により緊急通知を行う通知装置と、を備える構成としている。
【００２５】
このような構成によれば、緊急放送が放送されたときに、利用者の好みに沿った緊急通知制御を行うことが可能となり、緊急通知制御装置とは別の通知装置によって緊急通知を行うことができる。
【００２６】
また、前記通知装置は、前記緊急通知制御部によって送信された緊急通知コマンドを受信すると、ＯＳＤ（オンスクリーンディスプレイ）表示または所定のコンテンツ再生によって緊急通知を行うこととしてもよい。
【００２７】
また、前記通知装置は、前記緊急通知コマンドを受信したにも関わらず緊急通知を行わない設定が操作によって可能であることとしてもよい。
【００２８】
このような構成によれば、緊急放送があった場合でも緊急通知が行われないことを望む利用者に対応できる。
【００２９】
また、前記通知装置は、前記緊急通知制御部によって送信された映像データを再生して緊急通知を行うこととしてもよい。
【００３０】
また、前記通知装置は、コンテンツの再生機能を有し、再生中のときは再生を停止させて緊急通知を行うこととしてもよい。
【００３１】
このような構成によれば、緊急放送が放送されたときに再生動作が停止されるので、利用者は緊急通知に気づきやすくなる。
【００３２】
また、前記緊急放送の終了を前記検出部が検出すると、コマンドを前記通知装置に送信するコマンド送信部を前記緊急通知制御装置は備えており、前記通知装置は、前記コマンドを受信すると停止させた再生を再開させることとしてもよい。
【００３３】
このような構成によれば、緊急放送が終了すると、停止された再生が自動的に再開されるので、利用者にとって利便性が高い。
【発明の効果】
【００３４】
本発明によると、利用者の好みに沿った緊急通知制御を行うことが可能となる。
【図面の簡単な説明】
【００３５】
【図１】本発明の第１実施形態に係るテレビ装置のブロック構成図である。
【図２】本発明の第１実施形態に係る緊急通知制御処理に関するフローチャートである。
【図３】本発明の第２実施形態に係る緊急通知制御処理に関するフローチャートである。
【図４】本発明の第３実施形態に係る緊急通知制御処理に関するフローチャートである。
【図５】本発明の第４実施形態に係るテレビ装置のブロック構成図である。
【図６】本発明の第４実施形態に係る緊急通知制御処理に関するフローチャートである。
【発明を実施するための形態】
【００３６】
＜第１実施形態＞
以下に本発明の一実施形態について図面を参照して説明する。ここでは、緊急通知制御装置の一例として、テレビ装置を挙げて説明する。本発明の第１実施形態に係るテレビ装置の概略構成を示すブロック図を図１に示す。
【００３７】
図１に示すテレビ装置１は、チューナ１１と、分離部１２と、デコード部１３と、映像出力部１４と、表示部１５と、ＯＳＤ（オンスクリーンディスプレイ）部１６と、音声出力部１７と、内蔵スピーカ１８と、システムコントローラ１９と、ＨＤＤ（ハードディスクドライブ）２０と、リモコン受光部２１を備えている。チューナ１１にはアンテナ２が接続される。
【００３８】
チューナ１１は、例えば地上デジタル放送に対応するものであり、アンテナ２から入力された高周波の放送信号から所望のチャンネルの放送信号を選局し、選局されたチャンネルの放送信号に対してデジタル復調及び誤り訂正などの処理を行い、トランスポートストリームを生成し、分離部１２へ出力する。また、チューナ１１は、選局したチャンネルの放送信号からＴＭＣＣ（Transmission and Multiplexing Configuration Control）信号を抽出することも行う。
【００３９】
分離部（デマルチプレクサ）１２は、チューナ１１から入力されるトランスポートストリームを映像ストリーム、音声ストリーム等に分離する。分離部１２の出力は、映像デコーダ１３１、及び音声デコーダ１３２から成るデコード部１３に入力される。
【００４０】
映像デコーダ１３１は、分離部１２から入力される映像ストリームに対してデコードを行い、生成された映像データを映像出力部１４に出力する。
【００４１】
ＯＳＤ部１６は、メニュー表示などのオンスクリーンディスプレイ用の表示データを生成し、映像出力部１４に出力する。
【００４２】
映像出力部１４は、映像デコーダ１３１から入力される映像データにＯＳＤ部１６から入力される表示データを重畳し、重畳後の映像データを表示部１５に適した映像信号に変換し、表示装置に出力する。なお、重畳せずに映像デコーダ１３１から入力される映像データか、ＯＳＤ部１６から入力される表示データのいずれかのみを映像信号に変換して表示部１５に出力する場合もある。
【００４３】
表示部１５は、例えば液晶ディスプレイで構成され、映像出力部１４から入力される映像信号に基づき映像を表示する。これにより、放送番組の映像、メニュー画面などの各種映像が表示部１５に表示される。
【００４４】
音声デコーダ１３２は、分離部１２から入力される音声ストリームに対してデコードを行い、生成された音声データを音声出力部１７へ出力する。音声出力部１７は、音声デコーダ１３２から入力される音声データを内蔵スピーカ１８に適した音声信号に変換し、内蔵スピーカ１８へ出力する。内蔵スピーカ１８は、音声出力部１７から入力される音声信号に基づき音声を発生させる。これにより、内蔵スピーカ１８から放送番組の音声が発生する。
【００４５】
システムコントローラ１９は、テレビ装置１を統括的に制御する制御装置である。また、システムコントローラ１９は、デコード部１３から送られる映像データ及び音声データに対してエンコードを行い、エンコード後のデータをＨＤＤ２０に記録させる。これにより、放送番組をＨＤＤ２０内蔵のハードディスクに録画できる。
【００４６】
また、ＨＤＤ２０が内蔵のハードディスクから読み出した映像音声データはシステムコントローラ１９に送られ、システムコントローラ１９で映像音声データに対してデコードが行われる。デコード後の映像データは映像出力部１４に、デコード後の音声データは音声出力部１７に送られ、表示部１５に映像が表示され、内蔵スピーカ１８から音声が発生される。これにより、ＨＤＤ２０からの再生動作が行われる。
【００４７】
リモコン受光部２１は、リモコン装置（不図示）から操作に応じた赤外線信号等の操作信号を受信し、受信した操作信号をリモコンコードに変換し、リモコンコードをシステムコントローラ１９へ送信する。システムコントローラ１９は、送信されたリモコンコードに応じた制御動作を行う。これにより、ユーザはリモコン装置によってテレビ装置１を操作することができる。
【００４８】
次に、このような構成であるテレビ装置１における緊急通知制御処理について、図２に示すフローチャートを用いて説明する。
【００４９】
ここで、デジタル放送における緊急警報放送の運用について説明する。地震が発生した場合や津波警報が発表された場合に放送局側では、緊急警報放送と認識できるコンテンツで放送を開始する。
【００５０】
その際、放送局側ではトランスポートストリームを構成するＰＭＴ（Program Map Table）に緊急情報記述子を含ませる。緊急情報記述子には、“start_end_flag”（１ビット）、第１種／第２種種別（１ビット）、地域符号（１２ビット）が設定される。また、それと共に放送局側ではＴＭＣＣ信号の起動フラグを１とする。なお、緊急警報放送を終了する際、起動フラグは０とされる。
【００５１】
テレビ装置１側では、図２のステップＳ１のように、システムコントローラ１９が、チューナ１１から得られるＴＭＣＣ信号の起動フラグが１になったかを監視する。そして、起動フラグが１になったことが検出されると（ステップＳ１のＹ）、ステップＳ２に進む。
【００５２】
ステップＳ２で、システムコントローラ１９は、分離部１２から得られるＰＭＴに含まれる緊急情報記述子の地域符号の示す地域が、テレビ装置１の設置地域に該当するか否かを判定する。テレビ装置１の設置地域は、リモコン装置（不図示）などの操作によってユーザにより予め設定されている。もしテレビ装置１の設置地域に該当しない場合は（ステップＳ２のＮ）、ステップＳ３に進む。
【００５３】
ステップＳ３で、システムコントローラ１９は、地域符号の示す地域が予め設定された緊急通知対象地域に該当するか否かを判定する。緊急通知対象地域は、リモコン装置などの操作によって予めユーザにより設定され、テレビ装置１の設置地域以外の地域である（例えば、設置地域が大阪府である場合に、緊急通知対象地域は愛知県とするなど）。なお、緊急通知対象地域は、複数設定できるようにしてもよい。リモコン装置の操作による場合は、設定はリモコン受光部２１から入力され、システムコントローラ１９は、不図示の記憶部に設定情報を記憶させる。これは以降の他の実施形態におけるユーザの好みによる設定についても同様である。
【００５４】
ステップＳ２で設置地域に該当するか（ステップＳ２のＹ）、ステップＳ３で緊急通知対象地域に該当した場合は（ステップＳ３のＹ）、ステップＳ４に進む。
【００５５】
ステップＳ４で、システムコントローラ１９は、ＨＤＤ２０からの再生動作中であるか否かを判定する。もし再生動作中であれば（ステップＳ４のＹ）、ステップＳ５で、システムコントローラ１９は再生動作を停止させ、ステップＳ６に進む。
【００５６】
ステップＳ６で、システムコントローラ１９がデコード部１３を制御することで、映像デコーダ１３１からの映像データが映像出力部１４に出力され、音声デコーダ１３２からの音声データが音声出力部１７に出力される。従って、表示部１５に緊急警報放送の映像が表示され、内蔵スピーカ１８から緊急警報放送の音声が発生される。即ち、緊急通知がなされる。
【００５７】
なお、ステップＳ４でＨＤＤ２０からの再生動作中でなければ（ステップＳ４のＮ）、ステップＳ６に進み、緊急警報放送を出力させる。
【００５８】
また、ステップＳ３で、地域符号の示す地域が緊急通知対象地域に該当しない場合は（ステップＳ３のＮ）、そのまま処理は終了する（エンド）。即ち、ＨＤＤ２０からの再生動作中であった場合でも再生動作は継続され、緊急警報放送の出力は行われない。
【００５９】
これにより、テレビ装置１の設置地域で地震が発生したなどの場合、地域符号が設置地域を示すので（ステップＳ２のＹ）、緊急警報放送が表示部１５及び内蔵スピーカ１８から出力され、ユーザは緊急事態の発生を認識できる。
【００６０】
更に、本実施形態では、設置地域以外の地域である緊急通知対象地域で地震が発生したなどの場合でも、地域符号が緊急通知対象地域を示すので（ステップＳ３のＹ）、緊急警報放送が表示部１５及び内蔵スピーカ１８から出力され、ユーザは緊急事態の発生を認識できる。これにより、緊急通知対象地域にユーザの知り合いが住んでいるなどの場合に有益なものとなる。緊急通知対象地域はユーザの好みで設定されるものなので、ユーザの好みに沿った緊急通知制御を行うことが可能となる。
【００６１】
＜第２実施形態＞
次に、上記図１に示した構成のテレビ装置１における、本発明の第２実施形態に係る緊急通知制御処理について、図３に示すフローチャートを用いて説明する。
【００６２】
図３に示す処理の上記図２に示した処理との相違点は、ステップＳ１１とＳ１３の間にステップＳ１２の処理を挿入していることである。起動フラグを監視して、起動フラグが１になったことが検出されると（ステップＳ１１のＹ）、ステップＳ１２に進み、システムコントローラ１９は、チューナ１１から得られるＴＭＣＣ信号に含まれる緊急事態種別コードを確認する。
【００６３】
ここで、緊急事態種別コードは、例えばＴＭＣＣ信号のリザーブビットを用いることができ、地震、津波、竜巻、熱波、ゲリラ豪雨等の各種災害を表す。また、災害に限らず、例えば選挙における当選などのイベントに適用してもよい。
【００６４】
ステップＳ１２で、システムコントローラ１９は、緊急事態種別コードが予めユーザのリモコン装置の操作などにより設定された緊急事態種別に該当するか否かを判定し、もし該当した場合（ステップＳ１２のＹ）、そのまま処理は終了となる（エンド）。一方、該当しなかった場合は（ステップＳ１２のＮ）、ステップＳ１３へ進み、地域符号の判定に進む。なお、緊急事態種別は、複数設定できるようにしてもよい。
【００６５】
このように本実施形態では、緊急警報放送を通知して欲しくない緊急事態種別を予め設定しておけば、設定された緊急事態種別が発生した場合、例えばＨＤＤ２０からの再生動作中であっても再生動作は継続され、緊急警報放送は通知されない。従って、ユーザの煩わしさを抑えることができる。一方、設定していない緊急事態種別については緊急警報放送が通知されるので、ユーザは緊急事態の発生を確認できる。緊急事態種別はユーザの好みで設定されるものなので、ユーザの好みに沿った緊急通知制御を行うことが可能となる。
【００６６】
＜第３実施形態＞
次に、上記図１に示した構成のテレビ装置１における、本発明の第３実施形態に係る緊急通知制御処理について、図４に示すフローチャートを用いて説明する。
【００６７】
ステップＳ２１で起動フラグを監視し、起動フラグが１になったことが検出されると（ステップＳ２１のＹ）、ステップＳ２２に進み、システムコントローラ１９は、カウンタをインクリメントする。
【００６８】
次に、ステップＳ２３で、システムコントローラ１９は、前回起動フラグが１となってから所定時間が経過したか否かを判定し、経過していれば（ステップＳ２３のＹ）、ステップＳ２４に進む。ステップＳ２４で、システムコントローラ１９は、カウンタをリセットする。ステップＳ２４の後、ステップＳ２６〜Ｓ２８の処理へ進む。ステップＳ２６〜Ｓ２８は、上記図２のステップＳ４〜Ｓ６と同様の処理となる。
【００６９】
また、ステップＳ２３で、前回起動フラグが１となってから所定時間が経過していない場合は（ステップＳ２３のＮ）、ステップＳ２５に進み、システムコントローラ１９は、カウンタが予めユーザのリモコン装置の操作などにより設定された設定値以下であるか否かを判定する。もしカウンタが設定値以下の場合は（ステップＳ２５のＹ）、ステップＳ２６へ進み、設定値を超えていれば（ステップＳ２５のＮ）、そのまま処理は終了となる（エンド）。
【００７０】
例えば前回発生した災害とは別の災害が発生し、前回起動フラグが１となってから所定時間が経過すると（ステップＳ２３のＹ）、ステップＳ２４でカウンタが例えば０にリセットされる。そして、ステップＳ２８で緊急警報放送が出力される。
【００７１】
その後、起動フラグが一旦０となり、すぐに再度１となると、前回起動フラグが１となってから所定時間は経過していないことになるので（ステップＳ２３のＮ）、ステップＳ２５に進む。そして、設定値が例えば１に設定されていると、ステップＳ２２によりカウンタは１になっているので、カウンタは設定値以下となり（ステップＳ２５のＹ）、ステップＳ２８で再度緊急警報放送が出力される。
【００７２】
その後、起動フラグが一旦０となり、すぐに再度１となると、前回起動フラグが１となってから所定時間は経過していないことになるので（ステップＳ２３のＮ）、ステップＳ２５に進む。ここでは、ステップＳ２２によりカウンタは２になっているので、カウンタは設定値を超え（ステップＳ２５のＮ）、そのまま処理が終了する。即ち、例えばＨＤＤ２０からの再生動作中であっても再生動作は継続され、緊急警報放送は通知されない。
【００７３】
以降、起動フラグがすぐに１となるたびに、ステップＳ２２でカウンタはインクリメントされるので、ステップＳ２５でカウンタが設定値を超え、緊急警報放送は通知されない。
【００７４】
つまり、緊急警報放送が連続して放送される場合に、ユーザが設定した回数だけ緊急警報放送が出力され、それ以降は緊急警報放送が出力されない（上記設定値が１に設定された例では、２回だけは緊急警報放送が出力される）。従って、ユーザの煩わしさを抑えることができる。上記設定する回数はユーザの好みで設定されるので、ユーザの好みに沿った緊急通知制御を行うことが可能となる。
【００７５】
＜第４実施形態＞
次に、本発明の第４実施形態について説明する。本実施形態に係るテレビ装置の概略構成を示すブロック図を図５に示す。図５に示すテレビ装置１’は、上記図１に示したテレビ装置１の構成に加えて通信部２２を備えている。
【００７６】
通信部２２は、ホームネットワーク３を介してＤＭＰ（デジタルメディアプレーヤ）４と通信可能である。ホームネットワーク３を介した接続は、例えばＤＬＮＡ（Digital Living Network Alliance）に準拠する。
【００７７】
テレビ装置１’は、ＨＤＤ２０に保存されたコンテンツを通信部２２を使用してＤＭＰ４へ配信することが可能となっており、ＤＭＳ（デジタルメディアサーバ）として機能する。ＤＭＰ４は、テレビ装置１’から配信されたコンテンツを再生可能である。
【００７８】
なお、ＤＭＰ４は、コンテンツを再生するための表示部と内蔵スピーカを備えていてもよいし、自身は備えずに外部にこれらの装置が接続されてもよい。また、ＤＭＰ４は、配信されたコンテンツだけでなく、例えば光ディスクドライブやＨＤＤを備えてブルーレイディスクやハードディスクに記録されたコンテンツを再生可能としてもよい。
【００７９】
次に、テレビ装置１’による緊急通知制御処理について図６に示すフローチャートを用いて説明する。図６に示す処理はステップＳ３４を備えることが上述した図２に示す処理との相違点となる。
【００８０】
図６の処理では、ステップＳ３２で地域符号の示す地域が設置地域に該当するか（ステップ３２のＹ）、ステップＳ３３で地域符号の示す地域が緊急通知対象地域に該当した場合は（ステップＳ３３のＹ）、ステップＳ３４に進む。ステップＳ３４で、システムコントローラ１９は、緊急通知コマンドを通信部２２を用いてＤＭＰ４へ送信する。
【００８１】
ＤＭＰ４側では、緊急通知コマンドを受信すると、緊急事態発生を示すＯＳＤ（オンスクリーンディスプレイ）表示を行う。例えば、「ＷＡＲＮＩＮＧ！緊急地震速報が発生しました！」などとＯＳＤ表示する。なお、ＤＭＰ４がコンテンツを再生中の場合は、再生を停止してＯＳＤ表示する。なお、ＯＳＤ表示に限らず、緊急通知用の所定のコンテンツを再生してもよい。
【００８２】
これにより、放送受信機能を持たないＤＭＰ４であっても、緊急警報放送が放送された場合にテレビ装置１’からの緊急通知コマンド送信により、ユーザは緊急事態の発生を確認することができる。
【００８３】
また、本実施形態の変形例として、図６のステップＳ３４において緊急通知コマンドを送信する代わりに、緊急警報放送の映像音声データをＤＭＰ４へ送信開始し、ＤＭＰ４側で映像音声データを再生してもよい。または、ＨＤＤ２０に保存された緊急通知用の所定のコンテンツをＤＭＰ４へ配信してもよい。
【００８４】
なお、上述した図３に示した処理において、例えばステップＳ１４とＳ１５の間に緊急通知コマンドの送信処理を挿入してもよい。また、上述した図４に示した処理において、例えばステップＳ２４及びＳ２５とステップＳＳ２６の間に緊急通知コマンドの送信処理を挿入してもよい。
【００８５】
また、ＤＭＰ４において、緊急通知コマンドが送信された場合でもこれを無視してＯＳＤ表示等しない設定をユーザ操作により行えてもよい。
【００８６】
＜その他について＞
以上、本発明の実施形態について説明したが、本発明の趣旨の範囲内であれば、実施形態は種々の変形が可能である。
【００８７】
例えば、上記第１〜第３実施形態において、緊急警報放送をテレビ装置で出力する場合、ＨＤＤからの再生動作中でも再生を停止させずに、再生画面と共に緊急警報放送を表示させてもよい。また、上記第４実施形態において、ＤＭＰが緊急通知を行う場合、再生動作中でも再生を停止させずに、再生画面と共に緊急通知の表示をしてもよい。
【００８８】
また、例えば、上記第１〜第３実施形態において、ＨＤＤからの再生動作が停止されて緊急警報放送を表示した場合、例えば起動フラグが０になった場合や所定時間が経過した場合に再生動作を再開してもよい。また、上記第４実施形態において、ＤＭＰが再生を停止させて緊急通知を行った場合、例えば起動フラグが０になった場合にテレビ装置側からコマンドが送信されたり、所定時間の経過により、再生動作を再開してもよい。なお、再生動作を再開する際は、前回停止させた再生位置から再開させることが好ましい。
【００８９】
また、本発明の緊急通知制御装置は、テレビ装置に限らず、例えばハードディスクレコーダ、光ディスクレコーダ、セットトップボックス等に適用してもよい。
【００９０】
また、例えば、上記第４実施形態のようにテレビ装置とＤＭＰがネットワーク接続されており、起動フラグが１になったことをテレビ装置が検出すると、テレビ装置からＤＭＰへ地域符号を送信し、ＤＭＰ側で送信された地域符号に関する判定を行い、判定結果に応じてＯＳＤ表示等の緊急通知を行うか否かを切替えてもよい。即ち、この場合はＤＭＰが緊急通知制御装置となる。
【符号の説明】
【００９１】
１、１’  テレビ装置
１１  チューナ
１２  分離部
１３  デコード部
１３１  映像デコーダ
１３２  音声デコーダ
１４  映像出力部
１５  表示部
１６  ＯＳＤ（オンスクリーンディスプレイ）部
１７  音声出力部
１８  内蔵スピーカ
１９  システムコントローラ
２０  ＨＤＤ（ハードディスクドライブ）
２１  リモコン受光部
２２  通信部
２  アンテナ
３  ホームネットワーク
４  ＤＭＰ（デジタルメディアプレーヤ）
【図１】
2015039115.tif 000003
【図２】
2015039115.tif 000004
【図３】
2015039115.tif 000005
【図４】
2015039115.tif 000006
【図５】
2015039115.tif 000007
【図６】
2015039115.tif 000008